(57)【特許請求の範囲】
【請求項１】
企業によって指定された指定日時及び指定空間のうちユーザによって選択された選択日時及び選択空間において前記ユーザが料理を作ることを可能とするサービスを提供するサービス提供システムで使用される管理サーバであって、
前記ユーザごとに、前記ユーザによる前記サービスの予約に応じて、前記選択日時を示す選択日時情報と、前記選択空間を示す選択空間情報と、前記ユーザによって選択された前記料理を示す選択料理情報とを関連付ける予約情報を生成して管理するように構成されている予約情報管理部と、
前記指定日時を示す指定日時情報と、前記指定空間を示す指定空間情報と、前記指定空間の使用に関する制約情報とを関連付ける企業情報を管理するように構成されている企業情報管理部と、
前記企業情報管理部を参照して、前記制約情報に基づいて、前記指定日時の前記指定空間において作ることができる前記料理の種類を決定するように構成されている決定部と、
前記決定部によって決定された前記料理の種類に基づいて、ユーザ予約画面上で、前記指定日時の前記指定空間において前記ユーザが選択可能な前記料理の種類を限定するように構成されているユーザインターフェイスと、を具備する、管理サーバ。
【請求項２】
前記制約情報は、前記指定空間の環境維持に関する制約情報を含み、
前記決定部は、前記指定空間の環境維持に関する制約情報に基づいて、前記指定日時の前記指定空間において作ることができる前記料理の種類を決定するように構成されている、請求項１に記載の管理サーバ。
【請求項３】
前記企業情報は、前記指定空間の広さを示す情報を含み、
前記決定部は、前記指定空間の広さを示す情報に基づいて、前記指定日時の前記指定空間において作ることができる前記料理の種類を決定するように構成されている、請求項１又は２に記載の管理サーバ。
【請求項４】
前記指定空間は、前記ユーザのオフィス内の会議室、執務室及び一時的に利用若しくは貸与を許可する種類のレンタルスペースの少なくとも１つを含む、請求項１〜３のいずれか一項に記載の管理サーバ。
【請求項５】
前記指定日時は、前記ユーザの移動時間中及び勤務時間中の少なくとも一方における隙間時間である、請求項１〜４のいずれか一項に記載の管理サーバ。
【発明の詳細な説明】
【技術分野】
【０００１】
本開示は、企業によって指定された指定日時及び指定空間のうちユーザによって選択された選択日時及び選択空間においてユーザが料理を作ることを可能とするサービスを提供するサービス提供システムで使用される管理サーバに関する。
【背景技術】
【０００２】
従来、通信ネットワークを介してユーザに対して料理のレシピを提供するシステムが知られている（例えば、特許文献１又は２参照）。
【先行技術文献】
【特許文献】
【０００３】
【特許文献１】特開２００４-０８６６８４号公報
【特許文献２】特開２００３-０２２３０５号公報
【発明の概要】
【発明が解決しようとする課題】
【０００４】
一般的に、共働きの世帯では、料理をゆっくり作る時間を取ることが難しいという悩みを有しているため、上述のシステムによって、料理のレシピを提供したところで、かかる悩みを根本的に解決することができない。
【０００５】
かかる悩みを解決するために、宅食や中食等を活用することが考えられるが、これらを活用することは、高コストに繋がるために持続することが困難であるし、頻繁に活用することは罪悪感に繋がるし、味もマンネリになってしまう等の問題点があった。
【０００６】
そこで、本開示は、上述の課題に鑑みてなされたものであり、上述の共働きの世帯の悩みを根本的に解決することができる管理サーバを提供することを目的とする。
【課題を解決するための手段】
【０００７】
本開示の第１の特徴は、企業によって指定された指定日時及び指定空間のうちユーザによって選択された選択日時及び選択空間において前記ユーザが料理を作ることを可能とするサービスを提供するサービス提供システムで使用される管理サーバであって、前記ユーザごとに、前記ユーザによる前記サービスの予約に応じて、前記選択日時を示す選択日時情報と、前記選択空間を示す選択空間情報と、前記ユーザによって選択された前記料理を示す選択料理情報とを関連付ける予約情報を生成して管理するように構成されている予約情報管理部と、前記指定日時を示す指定日時情報と、前記指定空間を示す指定空間情報と、前記指定空間の使用に関する制約情報とを関連付ける企業情報を管理するように構成されている企業情報管理部と、前記企業情報管理部を参照して、前記制約情報に基づいて、前記指定日時の前記指定空間において作ることができる前記料理の種類を決定するように構成されている決定部と、前記決定部によって決定された前記料理の種類に基づいて、ユーザ予約画面上で、前記指定日時の前記指定空間において前記ユーザが選択可能な前記料理の種類を限定するように構成されているユーザインターフェイスと、を具備することを要旨とする。
【発明の効果】
【０００８】
本開示によれば、上述の共働きの世帯の悩みを根本的に解決することができる管理サーバを提供することができる。
【図面の簡単な説明】
【０００９】
【図１】図１は、一実施形態に係るサービス提供システム１の全体概略構成の一例を説明するための図である。
【図２】図２は、一実施形態に係る管理サーバ１００の機能ブロックの一例を示す図である。
【図３】図３は、一実施形態に係る管理サーバ１００のユーザ情報管理部１０１によって管理されるユーザ情報の一例を示す図である。
【図４】図４は、一実施形態に係る管理サーバ１００の企業情報管理部１０２によって管理される企業情報の一例を示す図である。
【図５】図５は、一実施形態に係る管理サーバ１００のユーザインターフェイス１０４によって提供されてユーザ１０の端末２０に表示されるユーザ予約画面の一例を示す図である。
【図６】図６は、一実施形態に係る管理サーバ１００の予約情報管理部１０５によって管理されるユーザ情報の一例を示す図である。
【図７】図７は、一実施形態に係る管理サーバ１００の動作の一例を示す
【発明を実施するための形態】
【００１０】
以下、図１〜図７参照して、一実施形態について説明する。
【００１１】
図１〜図６を参照して、本実施形態に係るサービス提供システム１の構成の一例について説明する。
【００１２】
本実施形態に係るサービス提供システム１は、管理サーバ１００を用いることによって、企業２００によって指定された日時（以下、指定日時）及び空間（以下、指定空間）のうちユーザ１０によって選択された日時（以下、選択日時）及び空間（以下、選択空間）においてユーザ１０が料理を作ることを可能とするサービス（以下、本サービス）を提供するように構成されている。
【００１３】
以下、本実施形態では、ユーザ１０は、本サービスに加入している会員を示す。また、本サービスは、例えば、毎月の利用代金が定額で利用可能なサブスクリプション型のサービスであってもよい。
【００１４】
ユーザ１０は、本サービスに加入する際に、所定期間中に（例えば、週ごとや月ごとに）本サービスを利用して料理を作ることができる回数が決められているプランの中から、自身に適したプランを決定する。なお、ユーザ１０は、本サービスに加入した後に、自身のプランを変更することも可能である。
【００１５】
また、企業２００は、本サービスを提供することに同意しており、上述の空間を提供することができる企業を示す。なお、企業２００は、上述の空間を提供することができる企業であれば、例えば、ユーザ１０が勤務する企業であってもよいし、一時的に利用若しくは貸与を許可する種類のレンタルスペース等を提供する企業であってもよいし、ユーザ１０が本サービスを利用する度に利用代金を支払うタイプのサービスであってもよい。
【００１６】
なお、ユーザ１０が勤務する企業２００は、福利厚生の一環として、ユーザ１０の本サービスの利用代金の一部又は全部を負担してもよい。
【００１７】
また、指定空間(及び、選択空間)は、ユーザ１０が料理を作ることができる場所を示すものとし、例えば、企業２００のオフィス内の会議室或いは執務室であってもよいし、企業２００によって提供されるレンタルスペース等であってもよい。例えば、かかるレンタルスペースとしては、イベントスペースやコワーキングスペースやフィットネスジムの空きスペース等が挙げられる。
【００１８】
また、指定日時(及び、選択日時)は、ユーザ１０の移動時間中や勤務時間中における隙間時間であることが好ましい。例えば、かかる隙間時間には、早朝や昼休み等の休憩時間やアフターファイブや休日が含まれ得る。
【００１９】
すなわち、ユーザ１０は、自身の勤務先の企業２００のオフィス内の会議室や執務室に限らず、休日を含む勤務時間外に、レンタルスペース等で料理を作ることができる。
【００２０】
例えば、本サービスは、企業２００に勤務するユーザ１０であって、共働きの世帯であって自宅で料理を作る時間が取りにくいようなユーザ１０を対象にしてもよい。特に、本サービスは、共働きの子育て世帯の母親或いは父親を対象にしてもよい。
【００２１】
図１に示すように、本実施形態に係るサービス提供システム１は、端末２０と、管理サーバ１００と、企業２００と、流通業者３００と、食品メーカ４００と、配送業者５００とを有している。
【００２２】
端末２０は、本実施形態に係るサービス提供システム１によって提供される本サービスの会員であるユーザ１０によって使用される端末であって、例えば、かかる端末２０としては、ユーザ１０のＰＣ（Ｐｅｒｓｏｎａｌ  Ｃｏｍｐｕｔｅｒ）であってもよいし、ユーザ１０の携帯通信端末であってもよい。
【００２３】
企業２００は、例えば、サーバ等によって、かかる企業２００の会議室等の予約状況等を管理することができる。また、企業２００は、管理サーバ１００からの依頼に応じて、かかる会議室等の予約状況を参照して、ユーザ１０に対して提供可能な空間及び日時を決定して、かかる空間及び日時を、上述の指定空間及び指定日時として管理サーバ１００に通知することができる。
【００２４】
流通業者３００は、上述の料理を作るために必要な食材の注文を受け付けて、かかる食材を提供することができる。例えば、流通業者３００は、食品の卸業者であってもよいし、かかる生産者自身であってもよい。また、流通業者３００は、サーバ等によって、かかる注文を受け付けてもよい。
【００２５】
ここで、流通業者３００は、管理サーバ１００からの要望により、所定タイミングで定期的に食材を提供してもよい。
【００２６】
食品メーカ４００は、料理を作るために必要な調味料等の注文を受け付けて、かかる調味料等を提供することができる。なお、食品メーカ４００は、サーバ等によってかかる注文を受け付けてもよい。ここで、食品メーカ４００は、管理サーバ１００からの要望により、所定タイミングで定期的に調味料等を提供してもよい。
【００２７】
なお、流通業者３００及び食品メーカ４００は、同一の事業体であってもよい。
【００２８】
配送業者５００は、管理サーバ１００から配送依頼を受け付けた場合に、上述の料理をユーザ１０によって指定された住所（例えば、ユーザ１０の自宅等）に配送することができる。
【００２９】
管理サーバ１００は、企業によって指定された指定日時及び指定空間のうちユーザによって選択された選択日時及び選択空間においてユーザが料理を作ることを可能とするサーバである。
【００３０】
管理サーバ１００は、図２に示すように、ユーザ情報管理部１０１と、料理提案部１０２と、企業情報管理部１０３と、ユーザインターフェイス（ＩＦ）１０４と、予約情報管理部１０５と、発注部１０６と、コンテンツ配信部１０７と、配送手配部１０８と、決定部１０９とを有している。ここで、管理サーバ１００は、配送手配部１０８を具備していなくてもよい。
【００３１】
ユーザ情報管理部１０１は、本サービスの会員として登録されている各ユーザ１０に係る情報であるユーザ情報を管理するように構成されている。ここで、ユーザ情報管理部１０１は、ユーザ１０の端末２０によって入力された情報に基づいて、各ユーザ１０のユーザ情報を生成するように構成されていてもよい。
【００３２】
例えば、ユーザ情報管理部１０１は、ユーザ１０ごとに、かかるユーザ情報として、図３に示すように、少なくとも「ユーザＩＤ」と「アドレス情報」と「プロフィール情報」とを関連付けて管理するように構成されている。
【００３３】
ここで、「ユーザＩＤ」は、かかるユーザ１０を識別するための情報である。
【００３４】
「アドレス情報」は、かかるユーザ１０によって指定されたコンテンツの送信先のアドレス情報である。例えば、図３に示すように、「アドレス情報」には、ユーザ１０の端末２０のメールアドレス等が設定されてもよい。
【００３５】
「プロフィール情報」は、かかるユーザ１０のプロフィールに係る情報である。例えば、「プロフィール情報」には、かかるユーザ１０の生年月日や性別や家族構成や食の趣向やアレルギー情報や病歴の有無やユーザ１０が勤務する企業や利用希望形態等が設定されてもよい。
【００３６】
ここで、利用希望形態等は、かかるユーザ１０が利用を望む利用形態に係る情報である。利用希望形態としては、予算や、料理を食べるシーンの選択（料理をオフィスで食べる場合、テイクアウトで料理を自宅等へ持ち帰って食べる場合、又は、その両方の場合）や、メニュー志向等を指定する情報が設定されてもよい。
【００３７】
なお、メニュー志向は、ユーザ１０の目的別に準備されたプランを示す情報である。例えば、メニュー志向には、冷凍等を想定した作り置きプランや、子供向けプラン（例えば、離乳食や幼児食等を料理したい方を対象とする） や、定番料理プラン（献立全体のバランスを重視される方等を対象とする）や、ヘルシープラン（ダイエット志向の方等を対象とする）等が設定されてもよい。
【００３８】
また、「プロフィール情報」には、かかるユーザ１０の味付けの好みを示す情報である味の志向情報が設定されていてもよい。
【００３９】
なお、図示しないが、ユーザ情報管理部１０１は、さらに、かかるユーザ情報として、かかるユーザ１０による本サービスの利用履歴に係る情報である利用履歴等を管理するように構成されていてもよい。例えば、利用履歴には、かかるユーザ１０が本サービスを利用した日時や、その際に作った料理の種類やレシピ等の情報が設定されてもよい。
【００４０】
企業情報管理部１０３は、本サービスを提供することに同意している企業２００に係る情報である企業情報を管理するように構成されている。
【００４１】
例えば、企業情報管理部１０３は、企業２００ごとに、かかる企業情報として、図４に示すように、少なくとも「指定日時情報」と「指定空間情報」と「提供場所情報」とを関連付けて管理するように構成されている。
【００４２】
ここで、「指定日時情報」は、かかる企業２００によって提供可能な日時として指定された指定日時を示す情報である。なお、「指定日時情報」には、かかる指定日時を示す情報に加えて、かかる企業２００によって提供可能な時間として指定された時間を含めて設定されてもよい（例えば、１２：００〜１３：００等）。
【００４３】
また、「指定空間情報」は、「指定日時情報」に設定されている指定日時において企業２００によって提供可能な空間として指定されている指定空間（例えば、会議室や執務室やレンタルスペース等）を示す情報である。
【００４４】
「提供場所情報」は、「指定空間情報」に設定されている指定空間に関連する情報である提供場所情報等を管理するように構成されていてもよい。
【００４５】
例えば、図４に示すように、「提供場所情報」は、「制約情報」や「保管情報」や「広さ情報」等を有している。
【００４６】
ここで、「制約情報」は、「指定空間情報」に設定されている指定空間の使用に関する制約情報であって、かかる指定空間の設備に関する制約情報や、かかる指定空間の環境維持に関する制約情報や、かかる指定空間で料理する際の調理器具のメンテナンスに関する制約情報等を含む。
【００４７】
例えば、かかる指定空間の設備に関する制約情報は、かかる指定空間において、電気・水道・ガス・換気等の各設備の使用可否や各設備の使用量に関する制限等を含む。
【００４８】
また、例えば、かかる指定空間の環境維持に関する制約情報は、料理後の指定空間の環境の維持に関する制限を含む。
【００４９】
図４の例では、「制約情報」は、かかる指定空間の環境維持に関する制約情報として、「臭い情報」を含む。ここで、「臭い情報」は、かかる指定空間において食材や料理に起因する臭いが残存することが好ましくないか否かについて示す情報である。例えば、「臭い情報」に「〇」が設定されている場合は、かかる指定空間において食材や料理に起因する臭いが残存しても構わないことを示し、「臭い情報」に「×」が設定されている場合は、かかる指定空間において食材や料理に起因する臭いが残存することが好ましくないことを示す。
【００５０】
さらに、例えば、かかる指定空間で料理する際の調理器具のメンテナンスに関する制約情報は、調理器具の洗浄等のメンテナンスに関する制限（例えば、洗浄し難い食材や料理に対する制限等）を含む。
【００５１】
「保管情報」は、「指定空間情報」に設定されている指定空間用として保管されている食材や調味料等や調理器具等に関する情報である。
【００５２】
「広さ情報」は、「指定空間情報」に設定されている指定空間の広さを示す情報である。
【００５３】
料理提案部１０２は、ユーザ情報管理部１０１によって管理されているユーザ情報に基づいて、各ユーザ１０用の推奨料理を決定するように構成されている。
【００５４】
例えば、料理提案部１０２は、ユーザ１０の家族構成やアレルギー情報等や、ユーザ１０の過去の利用実績や、ユーザ１０の利用希望形態等に基づいて、かかるユーザ１０用の推奨料理を決定するように構成されてもよい。
【００５５】
ここで、料理提案部１０２は、各ユーザ１０に対して、所定期間（例えば、１か月や１週間）分のユーザ１０用の推奨料理を提案するように構成されていてもよい。
【００５６】
また、かかる推奨料理としては、早朝や昼休み等の休憩時間やアフターファイブやランチタイム等の隙間時間で作ることができるような料理であることが好ましい。例えば、かかる推奨料理としては、所定時間（例えば、１０分〜２０分）で作ることができる料理であることが好ましい。
【００５７】
また、料理提案部１０２は、同一の空間において同一の日時（時間帯）に複数のユーザ１０からなるグループ用に同一の推奨料理を提案するように構成されていてもよい。かかる場合、料理提案部１０２は、かかるグループ内のユーザ数に基づいて、かかる推奨料理を決定するように構成されていてもよい。
【００５８】
また、料理提案部１０２は、さらに、企業情報管理部１０３によって管理されている企業情報を参照して、各ユーザ１０用の推奨料理を決定するように構成されていてもよい。
【００５９】
例えば、料理提案部１０２は、さらに、ユーザ１０が勤務する企業２００によって指定され得る空間の制約情報を参照して、各ユーザ１０用の推奨料理を決定するように構成されていてもよい。
【００６０】
さらに、料理提案部１０２は、管理サーバ１００によって記憶されている複数の推奨料理の中から、所定方法によって、かかるユーザ１０用の推奨料理を選択するように構成されてもよい。
【００６１】
例えば、料理提案部１０２は、ユーザ１０の「プロフィール情報」と推奨料理との相関関係を機械学習した学習モデルを用いて、各ユーザ１０用の推奨料理を選択するように構成されてもよい。
【００６２】
なお、管理サーバ１００によって記憶されている複数の推奨料理のレシピは、本サービスに協力関係のある料理人等によって提供されてもよい。
【００６３】
ここで、料理提案部１０２は、各ユーザ１０用の推奨料理として、複数の推奨料理を選択するように構成されていてもよい
決定部１０９は、企業情報管理部１０３を参照して、上述の制約情報に基づいて、各指定日時の各指定空間において作ることができる料理の種類を決定するように構成されている。
【００６４】
ここで、例えば、かかる料理は、「最後まで調理するパターンの料理」及び「下味冷凍のみを行うパターンの料理」に分類されていてもよい。
【００６５】
また、かかる料理は、「臭いが出る料理」及び「臭いが出ない料理」に分類されていてもよい。
【００６６】
或いは、かかる料理は、「調理器具を使う料理」及び「調理器具を使わない料理」に分類されていてもよい。
【００６７】
具体的には、決定部１０９は、各指定空間の環境維持に関する制約情報（例えば、図４に示す「臭い情報」）に基づいて、各指定日時の各指定空間において作ることができる料理の種類を決定するように構成されていてもよい。
【００６８】
例えば、決定部１０９は、「臭い情報」に「×」が設定されている「指定空間情報」に設定されている指定空間において作ることができる料理の種類としては、「臭いが出ない料理」に分類されている料理のみとするように決定してもよい。
【００６９】
または、決定部１０９は、「臭い情報」に「×」が設定されている「指定空間情報」に設定されている指定空間において作ることができる料理の種類としては、「下味冷凍のみを行うパターンの料理」に分類されている料理のみとするように決定してもよい。
【００７０】
或いは、決定部１０９は、各指定空間の広さを示す情報（図４に示す「広さ情報」）に基づいて、前各定日時の各指定空間において作ることができる料理の種類を決定するように構成されていてもよい。
【００７１】
例えば、決定部１０９は、「広さ情報」に設定されている広さが所定面積以下である「指定空間情報」に設定されている指定空間において作ることができる料理の種類としては、「調理器具を使わない料理」に分類されている料理のみとするように決定してもよい。
【００７２】
または、決定部１０９は、「広さ情報」に設定されている広さが所定面積以下である「指定空間情報」に設定されている指定空間において作ることができる料理の種類としては、「下味冷凍のみを行うパターンの料理」に分類されている料理のみとするように決定してもよい。
【００７３】
ユーザインターフェイス１０４は、ユーザ１０の端末２０との間で通信を行うように構成されているインターフェイスとしての役割を果たす。
【００７４】
例えば、ユーザインターフェイス１０４は、ユーザ１０の端末２０からの要求に応じて、ユーザ１０の端末２０に、図５に示すようなユーザ予約画面を表示させるように構成されていてもよい。
【００７５】
ユーザ１０は、本サービスを利用して料理を作ることを希望する場合、端末１０を用いて、管理サーバ１００にアクセスし、管理サーバ１００によって提供されるユーザ予約画面（例えば、図５参照）において、本サービスの予約を行うことができる。
【００７６】
例えば、ユーザ１０は、かかるユーザ予約画面において、Ｃ１の欄に希望する日時を入力し、Ｃ２の欄に希望する空間を入力し、Ｃ３の欄に希望する料理を入力し、Ｃ４の欄に希望する料理の分量を入力することで、本サービスの予約を行うことができる。
【００７７】
ここで、ユーザインターフェイス１０４は、ユーザ予約画面におけるＣ１〜Ｃ４の欄に複数の入力候補を表示するように構成されており、ユーザ１０は、かかる複数の入力候補の中から希望するものを選択する形態になっていてもよい。
【００７８】
例えば、ユーザインターフェイス１０４は、Ｃ１及びＣ２の欄に、企業情報管理部１０３によって管理されている「指定日時情報」と「指定空間情報」との組み合わせを表示するように構成されていてもよい。
【００７９】
また、ユーザインターフェイス１０４は、Ｃ３の欄に、料理提案部１０２によって決定された複数の推奨料理を表示するように構成されていてもよい。
【００８０】
ここで、ユーザインターフェイス１０４は、決定部１０９によって決定された料理の種類に基づいて、ユーザ予約画面上で、各指定日時の各指定空間においてユーザ１０が選択可能な料理の種類を限定するように構成されている。
【００８１】
ユーザインターフェイス１０４は、図５に示すユーザ予約画面におけるＣ３の欄（「料理」）に、決定部１０９によって決定された種類の料理のみを表示するように構成されていてもよい。
【００８２】
例えば、決定部１０９が、対象の指定空間において作ることができる料理の種類として、「下味冷凍のみを行うパターンの料理」に分類されている料理のみとするように決定した場合、ユーザインターフェイス１０４は、図５に示すユーザ予約画面におけるＣ３の欄（「料理」）に、「下味冷凍のみを行うパターンの料理」に属する料理のみを表示するように構成されていてもよい。
【００８３】
また、決定部１０９が、対象の指定空間において作ることができる料理の種類として、「臭いが出ない料理」に分類されている料理のみとするように決定した場合、ユーザインターフェイス１０４は、図５に示すユーザ予約画面におけるＣ３の欄（「料理」）に、「臭いが出ない料理」に属する料理のみを表示するように構成されていてもよい。
【００８４】
さらに、決定部１０９が、対象の指定空間において作ることができる料理の種類として、「調理器具を使わない料理」に分類されている料理のみとするように決定した場合、ユーザインターフェイス１０４は、図５に示すユーザ予約画面におけるＣ３の欄（「料理」）に、「調理器具を使わない料理」に属する料理のみを表示するように構成されていてもよい。
【００８５】
なお、ユーザインターフェイス１０４は、図５に示すユーザ予約画面におけるＣ３の欄（「料理」）において、「最後まで調理するパターンの料理」及び「下味冷凍のみを行うパターンの料理」のどちらに属する料理であるかについて分かるように表示し、ユーザ１０が、「最後まで調理するパターンの料理」及び「下味冷凍のみを行うパターンの料理」のいずれかを選択することができるように構成されていてもよい。
【００８６】
予約情報管理部１０５は、上述の端末２０を用いてユーザ１０により行われる本サービスの予約に係る情報である予約情報を管理するように構成されている。
【００８７】
具体的には、予約情報管理部１０５は、ユーザ１０ごとに、かかる予約情報として、図６に示すように、少なくとも「選択日時情報」と「選択空間情報」と「選択料理情報」と「分量情報」と「コンテンツ情報」とを関連付けて管理するように構成されている。
【００８８】
ここで、「選択日時情報」は、かかるユーザ１０が、本サービスの利用を希望する日時（例えば、利用可能な時間帯等）として、企業２００によって指定された指定日時の中から選択した選択日時を示す情報である。
【００８９】
「選択空間情報」は、かかるユーザ１０が、本サービスの利用を希望する企業２００の空間（例えば、会議室や執務室やレンタルスペース等）として、企業２００によって指定された指定空間の中から選択した選択空間を示す情報である。
【００９０】
「選択料理情報」は、上述の「選択日時情報」によって示される選択日時に「選択空間情報」によって示される選択空間においてユーザ１０が作ることを希望する料理（ユーザ予約画面のＣ３の欄においてユーザ１０によって選択された選択料理）を示す情報である。
【００９１】
「分量情報」は、「選択料理情報」によって示される料理についてユーザ１０が何人分の分量を作りたいかを示す情報である。
【００９２】
「コンテンツ情報」は、「選択料理情報」によって示される料理のレシピに対応するコンテンツを識別するコンテンツ識別情報である。
【００９３】
予約情報管理部１０５は、かかる予約情報として、さらに他の情報を管理するように構成されていてもよい。
【００９４】
発注部１０６は、上述の料理の食材と共に、調味料を発注するように構成されている。
【００９５】
例えば、発注部１０６は、上述の指定空間における保管情報や制約情報等を考慮して、かかる調味料の発注を行うように構成されていてもよい。
【００９６】
すなわち、発注部１０６は、食品メーカ４００に対して、かかる調味料については、毎日発注するのではなく、上述の指定空間において在庫として足りなくなる前の所定タイミングで発注するように構成されていてもよい。
【００９７】
具体的には、発注部１０６は、料理提案部１０２によって提案されて各ユーザ１０によって選択された料理のレシピに基づいて、かかるレシピに対応する料理を作るために必要な食材及び調味料の少なくとも一方を発注するように構成されている。
【００９８】
なお、発注部１０６は、選択日時よりも所定期間前に、かかる選択日時に料理を作る予定のユーザ１０用の食材を発注するように構成されていてもよい。
【００９９】
上述の発注は、ネットワークを介して、電子メールやＦＡＸによって行われてもよいし、流通業者３００或いは食品メーカ４００によって管理されているサーバ等における規定のフォーマットに入力する形式で行われてもよいし、音声通話によって行われてもよい。
【０１００】
コンテンツ配信部１０７は、ユーザ情報管理部１０１によって管理されているユーザ情報及び予約情報管理部１０５によって管理されている予約情報を参照し、各ユーザ１０の「ユーザＩＤ」に関連付けられている「アドレス情報」に示されているメールアドレス等に対して、「選択日時情報」に設定されている選択日時以前に、かかる「選択日時情報」に関連付けられている「コンテンツ情報」によって識別されるコンテンツを配信するように構成されている。
【０１０１】
ここで、コンテンツは、各レシピに対応する料理の作り方の動画や音声であってもよいし、かかる料理の作り方を説明したテキストや写真や画像（静止画）や絵等を含むものであってもよい。
【０１０２】
なお、コンテンツ配送部１０７は、外部から取得したコンテンツを配送するように構成されていてもよいし、管理サーバ１００の管理者によって入力されたコンテンツを配送するように構成されていてもよい。
【０１０３】
配送手配部１０８は、ユーザ１０からの配送依頼に基づいて、配送業者５００に対して、ユーザ１０によって作られた料理の配送を手配するように構成されている。
【０１０４】
かかる配送の手配は、ネットワークを介して、電子メールやＦＡＸによって行われてもよいし、配送業者５００によって管理されているサーバ等における規定のフォーマットに入力する形式で行われてもよいし、音声通話によって行われてもよい。
【０１０５】
以下、図７を参照して、本実施形態に係る管理サーバ１００の動作の一例について説明する。
【０１０６】
図７に示すように、ステップＳ１０１において、管理サーバ１００の決定部１０９は、企業情報管理部１０３によって管理されている企業情報（例えば、「臭い情報」や「広さ情報」）に基づいて、各指定日時の各指定空間において作ることができる料理の種類を決定する。
【０１０７】
ステップＳ１０２において、管理サーバ１００のユーザインターフェイス１０４は、決定部１０９によって決定された料理の種類に基づいて、ユーザ予約画面上で、各指定日時の各指定空間においてユーザ１０が選択可能な料理の種類を限定する。
【０１０８】
ステップＳ１０３において、ユーザ１０は、ユーザ予約画面において、本サービスの予約を行う。
【０１０９】
本実施形態に係るサービス提供システム１によれば、企業２００の空間を間借りすることで、ユーザ１０の移動時間中や勤務時間中の隙間時間にて料理を作ることができ、しかも煩わしいレシピの考案を管理サーバ１００によって代行してもらえるため、忙しい共働きの世帯（特に、共働きの子育て世帯）において、家族間のコミュニケーション（特に、子供とのコミュニケーション）の時間を増やすことができ、自分の時間を確保することもできるようになる。
【０１１０】
また、本実施形態に係るサービス提供システム１によれば、ユーザ１０の移動時間中や勤務時間中の隙間時間にてユーザ１０自身が料理を行うことができるため、中食や宅食を活用する場合と比べて、コストを削減しつつ、自身で料理しないことの罪悪感をなくすことができる。
【０１１１】
また、本実施形態に係るサービス提供システム１によれば、ユーザ１０は、食材や調味料等の購入や調理器具等のメンテナンス、自宅で料理した後のキッチンの片付けや清掃を意識することなく料理を行うことができる。
【０１１２】
また、本実施形態に係るサービス提供システム１によれば、給湯室が極めて狭い会社や臭いを出すことに極めてセンシティブな会社等であっても本サービスを利用することができるため、ビジネススケールを拡大させることができる。
【０１１３】
また、本実施形態に係るサービス提供システム１によれば、「下味冷凍のみを行うパターンの料理」や「調理機器を使わない料理」に属する料理については、調理機器をほぼ使わず、指定空間での洗い物がほぼないため、ユーザ１０は、極めて短時間で料理を作ることができ、且つ、自宅に帰ってから熱々で出来立ての料理を食べることができる。
【産業上の利用可能性】
【０１１４】
本発明によれば、企業２００において空いている空間やユーザ１０の空いている時間を有効活用することができる。
【０１１５】
また、本発明によれば、料理教室のように、単発（週１回や月１回等）ではなく、日常的に継続可能なシステムとして本サービスを提供し、ユーザ１０の生活習慣を変化させることができる。
【０１１６】
また、本発明によれば、料理を作る時間に割かれすぎていて、子供や家族とのコミュニケーションや自分の時間を確保できないという共働きの世帯の悩みを解消することができる。なお、本発明は、共働きの世帯に対してだけでなく、健康志向の独身女性や食にこだわる独身男性にも、適用可能である。
【符号の説明】
【０１１７】
１…サービス提供システム
１０…ユーザ
２０…端末
１００…管理サーバ
１０１…ユーザ情報管理部
１０２…レシピ決定部
１０３…企業情報管理部
１０４…ユーザインターフェイス
１０５…予約情報管理部
１０６…発注部
１０７…コンテンツ管理部
１０８…配送手配部
１０９…決定部
２００…企業
３００…流通業者
４００…食品メーカ
５００…配送業者 
【要約】
【課題】上述の共働きの世帯の悩みを根本的に解決することができること。
【解決手段】管理サーバ１００は、ユーザ１０ごとにサービスの予約に応じて選択日時情報と選択空間情報と選択料理情報とを関連付ける予約情報を生成して管理する予約情報管理部１０５と、指定日時情報と指定空間情報と指定空間の使用に関する制約情報とを関連付ける企業情報を管理する企業情報管理部１０３と、企業情報管理部１０３を参照して制約情報に基づいて指定日時の指定空間において作ることができる料理の種類を決定する決定部１０９と、決定部１０９によって決定された料理の種類に基づいてユーザ予約画面上で指定日時の指定空間においてユーザが選択可能な料理の種類を限定するユーザインターフェイス１０４とを具備する。
【選択図】図２【図１】
0006895576.tif 000002
【図２】
0006895576.tif 000003
【図３】
0006895576.tif 000004
【図４】
0006895576.tif 000005
【図５】
0006895576.tif 000006
【図６】
0006895576.tif 000007
【図７】
0006895576.tif 000008